(57)【特許請求の範囲】
【請求項１】
第１表示部、第２表示部と、
利用者にサービスを提供するための利用者操作画面を前記第１表示部に表示するサービス提供部と、
デジタルサイネージを提供するためのデジタルサイネージ画面を前記第２表示部に表示するデジタルサイネージ提供部と、
前記利用者と、前記利用者操作画面の操作とを監視する監視部と、
前記監視の結果、前記利用者が前記利用者操作画面の操作をやめてから所定時間が経過した場合、前記デジタルサイネージ画面に代えて、前記利用者操作画面に対する操作ガイドを提示するための操作ガイド画面を前記第２表示部に表示する表示制御部と、
を備えることを特徴とするサービス提供装置。
【請求項２】
前記監視の結果、前記第２表示部に表示された前記操作ガイド画面を、前記利用者操作画面の操作をやめた前記利用者が見ていない場合、前記表示制御部は、前記操作ガイド画面が前記第２表示部に表示されている旨を、前記第１表示部に表示することを特徴とする請求項１に記載のサービス提供装置。
【請求項３】
前記監視の結果、前記第２表示部に表示された前記操作ガイド画面を、前記利用者操作画面の操作をやめた前記利用者が見ていない場合、前記表示制御部は、前記操作ガイド画面が前記第２表示部に表示されている旨を、音により前記利用者に通知することを特徴とする請求項１に記載のサービス提供装置。
【請求項４】
前記表示制御部は、前記操作ガイド画面が前記第２表示部に表示されている旨を、前記音により前記利用者に通知するときに、前記操作ガイド画面が前記第２表示部に表示されている旨を、前記第１表示部に表示することを特徴とする請求項３に記載のサービス提供装置。
【請求項５】
前記利用者操作画面は、複数のサービスのうち、利用者の操作により選択されたサービスを提供するための操作画面であって、
前記監視の結果、前記利用者が前記利用者操作画面の操作を完了して、前記選択されたサービスの処理中に前記利用者が前記第２表示部を見ている場合、前記表示制御部は、前記第２表示部に表示されている前記デジタルサイネージ画面を、前記複数のサービスのうちの、前記利用者が利用した前記選択されたサービスに適したデジタルサイネージ画面に変更することを特徴とする請求項１から４のいずれか一項に記載のサービス提供装置。
【請求項６】
前記監視の結果、前記利用者が前記利用者操作画面の操作を完了して、前記選択されたサービスの処理中に前記利用者が前記第２表示部を見ていない場合、前記表示制御部は、前記デジタルサイネージ画面を前記第２表示部に表示することを特徴とする請求項５に記載のサービス提供装置。
【請求項７】
前記監視部は、前記第１表示部の前に存在する複数人を監視し、
前記監視部は、前記複数人のうちの、前記第１表示部上の前記利用者操作画面を操作する人を前記利用者として監視することを特徴とする請求項１から６のいずれか一項に記載のサービス提供装置。
【請求項８】
前記利用者の認証情報を登録認証情報として登録する情報登録部と、
前記第１表示部に表示された前記利用者操作画面を前記利用者が操作するときに、前記利用者の認証情報と前記情報登録部に登録された登録認証情報とを認証し、前記認証の結果が一致を表す場合、前記利用者に対する前記サービスの提供を許可する認証部と、
前記サービスが前記利用者に提供されたときに、前記サービスの識別情報を前記利用者の前記登録認証情報に対応付けて前記情報登録部に登録する情報更新部と、
を更に備えることを特徴とする請求項１から７のいずれか一項に記載のサービス提供装置。
【請求項９】
前記利用者を撮影するカメラを更に備え、
前記監視部は、前記カメラに撮影された前記利用者と、前記第１表示部上の前記利用者操作画面の操作とを監視する、
ことを特徴とする請求項１から８の何れか一項に記載のサービス提供装置。
【請求項１０】
第１表示部、第２表示部を備えたサービス提供装置の表示方法であって、
利用者にサービスを提供するための利用者操作画面を前記第１表示部に表示するステップと、
デジタルサイネージを提供するためのデジタルサイネージ画面を前記第２表示部に表示するステップと、
前記利用者と、前記利用者操作画面の操作とを監視するステップと、
前記監視の結果、前記利用者が前記利用者操作画面の操作をやめてから所定時間が経過した場合、前記デジタルサイネージ画面に代えて、前記利用者操作画面に対する操作ガイドを提示するための操作ガイド画面を前記第２表示部に表示するステップと、
を含むことを特徴とするサービス提供装置の表示方法。
【発明の詳細な説明】
【技術分野】
【０００１】
本発明は、利用者にサービスを提供するサービス提供装置、及び、その表示方法に関する。
【背景技術】
【０００２】
複数のサービスのうちの、利用者が選択したサービスを提供する複合機が普及している。複合機は、例えば、コンビニエンスストア（以下、店舗）に設けられている。複合機は、表示部を備え、複数のサービスのうちの、利用者の操作により選択された選択サービスを提供するための操作画面を表示部に表示する。このように、複合機は、操作画面を表示部に表示することにより、利用者に有効な情報（選択サービスなど）を提供することができる。
【０００３】
使用者（利用者）の顔情報（顔認識技術）に基づいて、操作画面に代えて、操作ガイドを表示部に表示する技術が特許文献１に開示されている。この技術は、使用者の顔を撮像する為の撮像装置と、撮像装置によって撮像された使用者の顔情報に基づいて使用者が困惑しているか否かを判定する困惑度判定手段と、使用者が困惑していると判定した場合にはヘルプガイダンス（操作ガイド画面）を表示するヘルプガイダンス表示手段とを備えている。
【０００４】
また、顔認識技術として、カメラで撮影した顔の映像が表示画面を見ているか否かを判別する技術が特許文献２に開示されている。
【先行技術文献】
【特許文献】
【０００５】
【特許文献１】特開２００２−２５８６８２号公報
【特許文献２】特開２０１１−１２８８８５号公報
【発明の概要】
【発明が解決しようとする課題】
【０００６】
上述のように、複合機は店舗に設けられている。このため、店舗の店員にとっては、機会があれば、店舗内で販売される商品を、周囲の人（例えば、利用者を含めて店舗を利用する人）に紹介したい。しかし、店員の業務内容から、そのような機会がないのが現状である。
【０００７】
一方、周囲の人に対して、店舗内で販売される商品の情報を提示（提供）することも、周囲の人にとっては有効な情報であり、店舗の店員にとっても利点である。
【０００８】
したがって、本発明は、上記従来の問題点に鑑みてなされたものであって、利用者だけでなく、周囲の人にも、有効な情報を提供することができるサービス提供装置、及び、その表示方法を提供することを目的とする。
【課題を解決するための手段】
【０００９】
本発明のサービス提供装置は、第１、第２表示部と、複数のサービスのうちの、利用者の操作により選択された選択サービスを提供するための利用者操作画面を前記第１表示部に表示するサービス提供部と、デジタルサイネージを提供するためのデジタルサイネージ画面を前記第２表示部に表示するデジタルサイネージ提供部と、を具備することを特徴とする。
【００１０】
サービス提供装置の表示方法は、第１、第２表示部を備えたサービス提供装置の表示方法であって、複数のサービスのうちの、利用者の操作により選択された選択サービスを提供するための利用者操作画面を前記第１表示部に表示するステップと、デジタルサイネージを提供するためのデジタルサイネージ画面を前記第２表示部に表示するステップと、を具備することを特徴とする。
【発明の効果】
【００１１】
このように、本発明のサービス提供装置によれば、複数のサービスのうちの、利用者の操作により選択された選択サービスを提供するための利用者操作画面を第１表示部に表示することにより、利用者に有効な情報（選択サービスなど）を提供することができる。
【００１２】
また、本発明のサービス提供装置が店舗に設けられている場合、店舗の店員にとっては、機会があれば、店舗内で販売される商品を、周囲の人（例えば、利用者を含めて店舗を利用する人）に紹介したい。しかし、店員の業務内容から、そのような機会がないのが現状である。そこで、本発明のサービス提供装置によれば、上記利用者操作画面を第１表示部に表示し、デジタルサイネージを提供するためのデジタルサイネージ画面（商品紹介用のデジタルサイネージ画面）を第２表示部に表示する。このように、周囲の人に対して、店舗内で販売される商品の情報を提示（提供）することも、周囲の人にとっては有効な情報であり、店舗の店員にとっても利点である。
【００１３】
したがって、本発明のサービス提供装置は、利用者だけでなく、周囲の人にも、有効な情報を提供することができる。
【図面の簡単な説明】
【００１４】
【図１】第１実施形態に係るサービス提供装置１が適用されるシステムの構成を示すブロック図である。
【図２】第１実施形態に係るサービス提供装置１において、表示部３０（第１表示部３１、第２表示部３２）、及び、カメラ４０（第１カメラ４１、第２カメラ４２）の配置例を示す概念図である。
【図３】コンテンツ提供サーバ１００（図１）において、記憶部１１０（図１）に登録されている内容を示す図である。
【図４】デジタルサイネージ提供サーバ２００（図１）において、記憶部２１０（図１）に登録されている内容を示す図である。
【図５】第１実施形態に係るサービス提供装置１（複合機）のサービス提供部２１の動作として、サービス提供処理（ステップＳ１０）を示すフローチャートである。
【図６】第１実施形態に係るサービス提供装置１（複合機）のサービス提供部２１（図１）の動作を説明するための図であり、利用者操作画面３００として、初期画面３１０を示す図である。
【図７】第１実施形態に係るサービス提供装置１（複合機）のサービス提供部２１（図１）の動作を説明するための図であり、利用者操作画面３００として、プリントサービス画面３２０を示す図である。
【図８】第１実施形態に係るサービス提供装置１（複合機）のサービス提供部２１（図１）の動作を説明するための図であり、利用者操作画面３００として、コンテンツプリントサービス画面３３０を示す図である。
【図９】第１実施形態に係るサービス提供装置１（複合機）のサービス提供部２１（図１）の動作を説明するための図であり、利用者操作画面３００として、コンテンツ販売画面３４０を示す図である。
【図１０】第１実施形態に係るサービス提供装置１（複合機）のサービス提供部２１（図１）の動作を説明するための図であり、利用者操作画面３００として、コンテンツ購入画面３５０を示す図である。
【図１１】第１実施形態に係るサービス提供装置１（複合機）のサービス提供部２１（図１）の動作を説明するための図であり、利用者操作画面３００として、決済画面３６０を示す図である。
【図１２】第１実施形態に係るサービス提供装置１（複合機）のサービス提供部２１（図１）の動作を説明するための図であり、利用者操作画面３００として、支払い決定画面３７０を示す図である。
【図１３】第１実施形態に係るサービス提供装置１（複合機）のサービス提供部２１（図１）の動作を説明するための図であり、利用者操作画面３００として、購入処理画面３８０を示す図である。
【図１４】第１実施形態に係るサービス提供装置１（複合機）のデジタルサイネージ提供部２２の動作として、デジタルサイネージ提供処理（ステップＳ２０）を示すフローチャートである。
【図１５】第１実施形態に係るサービス提供装置１（複合機）のデジタルサイネージ提供部２２（図１）の動作を説明するための図であり、デジタルサイネージ画面４００として、商品紹介用デジタルサイネージ画面４１０を示す図である。
【図１６】第１実施形態に係るサービス提供装置１（複合機）のデジタルサイネージ提供部２２（図１）の動作を説明するための図であり、デジタルサイネージ画面４００として、サービス紹介用デジタルサイネージ画面４２０を示す図である。
【図１７】第１実施形態に係るサービス提供装置１（複合機）のデジタルサイネージ提供部２２（図１）の動作を説明するための図であり、デジタルサイネージ画面４００として、選択サービス紹介用デジタルサイネージ画面４３０を示す図である。
【図１８】第１実施形態に係るサービス提供装置１（複合機）の監視部２３の動作として、利用者監視処理（ステップＳ３０）を示すフローチャートである。
【図１９】第１実施形態に係るサービス提供装置１（複合機）の監視部２３の動作として、利用者監視処理（ステップＳ４０）を示すフローチャートである。
【図２０】第１実施形態に係るサービス提供装置１（複合機）の表示制御部２４の動作を示すフローチャートである。
【図２１】第１実施形態に係るサービス提供装置１（複合機）の表示制御部２４（図１）の動作を説明するための図である。
【図２２】第１実施形態に係るサービス提供装置１（複合機）の表示制御部２４（図１）の動作を説明するための図である。
【図２３】第１実施形態に係るサービス提供装置１（複合機）の表示制御部２４（図１）の動作を説明するための図である。
【図２４】第１実施形態に係るサービス提供装置１（複合機）の表示制御部２４（図１）の動作を説明するための図である。
【図２５】第２実施形態に係るサービス提供装置１（複合機）の監視部２３の動作として、利用者監視処理（ステップＳ３０）を示すフローチャートである。
【図２６】第２実施形態に係るサービス提供装置１（複合機）の監視部２３の動作として、利用者監視処理（ステップＳ４０）を示すフローチャートである。
【図２７】第３実施形態に係るサービス提供装置１が適用されるシステムの構成を示すブロック図である。
【図２８】第３実施形態に係るサービス提供装置１（複合機）において、情報登録部６１（図２７）に登録される内容を示す図である。
【図２９】第１実施形態に係るサービス提供装置１（複合機）の動作として、サービス提供処理（ステップＳ１０）内で実行される認証処理（ステップＳ３００）を示すフローチャートである。
【発明を実施するための形態】
【００１５】
［第１実施形態］
以下、図面を参照しながら、実施形態について説明する。
図１は、第１実施形態に係るサービス提供装置１が適用されるシステムの構成を示すブロック図である。図１に示されるように、そのシステムは、サービス提供装置１と、コンテンツ提供サーバ１００と、デジタルサイネージ提供サーバ２００と、を具備している。サービス提供装置１は、ネットワークＮＥを介して、コンテンツ提供サーバ１００と、デジタルサイネージ提供サーバ２００と接続されている。
【００１６】
サービス提供装置１は、複数のサービスのうちの、利用者が選択したサービスを提供する装置である。サービス提供装置１としては、複合機が挙げられる。複数のサービスのうちの少なくとも１つのサービスは、コンテンツ提供サーバ１００により提供されるコンテンツを含む。複合機は、例えば、コンビニエンスストア（以下、店舗）に設けられている。
【００１７】
サービス提供装置１は、記憶部１０と、制御部２０と、表示部３０と、カメラ４０と、画像形成部５０と、を具備している。制御部２０は、ＣＰＵ（Central Processing Unit）であり、表示部３０、カメラ４０、画像形成部５０を制御したり、通信機能を実現したりする。記憶部１０にはコンピュータプログラムが格納されている。制御部２０は、記憶部１０に格納されたコンピュータプログラムを実行し、その実行結果を表示部３０に表示する。画像形成部５０は、コピーやファクシミリ等の機能を実現する。
【００１８】
制御部２０は、サービス提供部２１と、デジタルサイネージ提供部２２と、監視部２３と、表示制御部２４とを備えている。これらの動作については後述する。
【００１９】
表示部３０は、第１表示部３１と、第２表示部３２とを備えている。第１表示部３１は、タッチパネルディスプレイである。カメラ４０は、第１カメラ４１と、第２カメラ４２とを備えている。
【００２０】
コンテンツ提供サーバ１００は、記憶部１１０と、制御部１２０と、を具備している。記憶部１１０にはコンピュータプログラムが格納されている。制御部１２０は、記憶部１１０に格納されたコンピュータプログラムを実行する。
【００２１】
デジタルサイネージ提供サーバ２００は、記憶部２１０と、制御部２２０と、を具備している。記憶部２１０にはコンピュータプログラムが格納されている。制御部２２０は、記憶部２１０に格納されたコンピュータプログラムを実行する。
【００２２】
図２は、第１実施形態に係るサービス提供装置１において、表示部３０（第１表示部３１、第２表示部３２）、及び、カメラ４０（第１カメラ４１、第２カメラ４２）の配置例を示す概念図である。
【００２３】
図２に示されるように、サービス提供装置１の本体において、第１表示部３１、第２表示部３２は離れて設けられている。第１カメラ４１は、第１表示部３１の周辺に設けられ、第１表示部３１の前に存在する人を撮影する。第２カメラ４２は、第２表示部３２の周辺に設けられ、第２表示部３２の前に存在する人を撮影する。
【００２４】
図３は、コンテンツ提供サーバ１００（図１）において、記憶部１１０（図１）に登録されている内容を示す図である。
【００２５】
図３に示されるように、コンテンツ提供サーバ１００（図１）において、記憶部１１０には、ユーザに提供するためのサービスであるコンテンツ（商品）とコンテンツ識別子（商品名、商品コードなど）とがデータにより複数対応付けられて登録されている。例えば、コンテンツがプリントサービスである場合、「アイドル」、「アニメ」、「グラビア」のジャンルに分けられ、記憶部１１０には、ジャンル別に、コンテンツ（商品）とコンテンツ識別子（商品名、商品コードなど）とが複数対応付けられて登録されている。
【００２６】
コンテンツ提供サーバ１００（図１）において、制御部１２０（図１）は、サービス提供装置１（図１）からのコンテンツ表示指示（後述）を受け取った場合、複数のコンテンツをそれぞれ識別するための複数のコンテンツ識別子をサービス提供装置１（図１）に送信する。制御部１２０（図１）は、サービス提供装置１（図１）からコンテンツ識別子を含むコンテンツ購入指示（後述）を受け取った場合、複数のコンテンツのうちの、コンテンツ購入指示に含まれるコンテンツ識別子に対応するコンテンツをサービス提供装置１（図１）に送信する。
【００２７】
図４は、デジタルサイネージ提供サーバ２００（図１）において、記憶部２１０（図１）に登録されている内容を示す図である。
【００２８】
図４に示されるように、デジタルサイネージ提供サーバ２００（図１）において、記憶部２１０には、サービス提供装置１に提供するためのデジタルサイネージがグループ毎にデータにより登録されている。例えば、グループは、第１グループと第２グループとに分けられる。
【００２９】
図４に示されるように、第１グループのデジタルサイネージは、それぞれ、サービス提供装置１（図１）の複数のサービス「コピー」、「ファックス」、「写真サービス」、「プリントサービス」、「スキャンサービス」、「行政サービス」を紹介するための広告（以下、サービス紹介用広告）「Ｙ１」〜「Ｙ６」を表している。例えば、「プリントサービス」を紹介するためのサービス紹介用広告「Ｙ４」は、複数のサービス「アイドル」、「アニメ」、「グラビア」を紹介するためのサービス紹介用広告「Ｙ４−１」〜「Ｙ４−３」を含んでいる。
【００３０】
デジタルサイネージ提供サーバ２００（図１）において、制御部２２０（図１）は、サービス提供装置１（図１）からの商品紹介指示を受け取った場合、複数のデジタルサイネージのうちの第２グループのデジタルサイネージ（商品紹介用広告「ＣＭ１」〜「ＣＭｎ」）を順番にサービス提供装置１（図１）に送信する。
【００３１】
図４に示されるように、第２グループのデジタルサイネージは、それぞれ、サービス提供装置１（図１）が設けられた店舗内で販売される商品を紹介するための広告（以下、商品紹介用広告）「ＣＭ１」〜「ＣＭｎ」を表している。
【００３２】
制御部２２０（図１）は、サービス提供装置１からの全体サービス紹介指示を受け取った場合、複数のデジタルサイネージのうちの第１グループのデジタルサイネージ（サービス紹介用広告「Ｙ１」〜「Ｙ６」）を順番にサービス提供装置１（図１）に送信する。また、制御部２２０（図１）は、サービス提供装置１からの選択サービス紹介指示を受け取った場合、第１グループのデジタルサイネージ（サービス紹介用広告「Ｙ１」〜「Ｙ６」）のうちの、選択サービス紹介指示に応じたデジタルサイネージをサービス提供装置１に送信する。選択サービス紹介指示は、複数のサービス「コピー」、「ファックス」、「写真サービス」、「プリントサービス」、「スキャンサービス」、「行政サービス」のうちの、利用者に利用されたサービスを更に紹介するために行なわれる。
【００３３】
次に、第１実施形態に係るサービス提供装置１のサービス提供部２１（図１）の動作（サービス提供処理）について、図５〜１３を用いて説明する。サービス提供部２１（図１）は、複数のサービスのうちの、利用者の操作により選択された選択サービスを提供するための利用者操作画面３００（図６〜１３を参照）を第１表示部３１（図１、２）に表示する。ここで、選択サービスがコンテンツであり、利用者が、サービス提供装置１（図１、２）を用いて、コンテンツをサービス提供装置１（図１、２）で購入する場合（コンテンツが写真であり、その写真を印刷する場合）について説明する。
【００３４】
図５は、第１実施形態に係るサービス提供装置１（複合機）のサービス提供部２１の動作として、サービス提供処理（ステップＳ１０）を示すフローチャートである。図６〜１３は、第１実施形態に係るサービス提供装置１（複合機）のサービス提供部２１（図１）の動作を説明するための図である。図６は、利用者操作画面３００として、初期画面３１０を示す図である。図７は、利用者操作画面３００として、プリントサービス画面３２０を示す図である。図８は、利用者操作画面３００として、コンテンツプリントサービス画面３３０を示す図である。図９は、利用者操作画面３００として、コンテンツ販売画面３４０を示す図である。図１０は、利用者操作画面３００として、コンテンツ購入画面３５０を示す図である。図１１は、利用者操作画面３００として、決済画面３６０を示す図である。図１２は、利用者操作画面３００として、支払い決定画面３７０を示す図である。図１３は、利用者操作画面３００として、購入処理画面３８０を示す図である。
【００３５】
まず、サービス提供部２１（図１）は、利用者操作画面３００として、図６に示されるような初期画面３１０を第１表示部３１（図１、２）に表示する。初期画面３１０は、サービスとして「コピー」、「ファックス」、「写真サービス」、「プリントサービス」、「スキャンサービス」、「行政サービス」をそれぞれ選択するための表示ボタン３１１〜３１６を含んでいる（図５のステップＳ１１；初期画面表示処理）。
【００３６】
例えば、利用者が初期画面３１０上の「プリントサービス」の表示ボタン３１４を押した場合、サービス提供部２１（図１）は、利用者操作画面３００として、図７に示されるようなプリントサービス画面３２０を第１表示部３１（図１、２）に表示する。プリントサービス画面３２０は、プリントサービスとして「ＰＤＦプリント」、「写真プリント」、「ネットワークプリント」、「コンテンツプリント」をそれぞれ選択するための表示ボタン３２１〜３２４を含んでいる（図５のステップＳ１２；プリントサービス画面表示処理）。
【００３７】
例えば、利用者がプリントサービス画面３２０上の「コンテンツプリント」の表示ボタン３２４を押した場合、サービス提供部２１（図１）は、利用者操作画面３００として、図８に示されるようなコンテンツプリントサービス画面３３０を第１表示部３１（図１、２）に表示する。コンテンツプリントサービス画面３３０は、コンテンツのプリントサービスとして「アイドル」、「アニメ」、「グラビア」をそれぞれ選択するための表示ボタン３３１〜３３３を含んでいる（図５のステップＳ１３；コンテンツプリントサービス画面表示処理）。
【００３８】
例えば、利用者がコンテンツプリントサービス画面３３０上の「アイドル」の表示ボタン３３１を押した場合、サービス提供部２１（図１）は、コンテンツ表示指示「アイドル」をコンテンツ提供サーバ１００（図１）に送信する。コンテンツ提供サーバ１００（図１）の制御部１２０（図１）は、サービス提供装置１（図１）からのコンテンツ表示指示「アイドル」に応じて、複数のアイドルのコンテンツ（図３）の各々を識別するためのコンテンツ識別子（商品名、商品コードなど）をサービス提供装置１（図１）に送信する。サービス提供装置１（図１）のサービス提供部２１（図１）は、コンテンツ提供サーバ１００（図１）からコンテンツ識別子（商品名、商品コードなど）を受け取ったときに、利用者操作画面３００として、図９に示されるようなコンテンツ販売画面３４０を第１表示部３１（図１、２）に表示する。コンテンツ販売画面３４０は、複数のアイドルのコンテンツ（図３）を識別するためのコンテンツ識別子（商品名、商品コードなど）をそれぞれ表す「写真Ｘ１」〜「写真Ｘ８」を表示している。「写真Ｘ１」〜「写真Ｘ８」の各々は、コンテンツ識別子（商品名、商品コードなど）を選択するための表示ボタンを含んでいる（図５のステップＳ１４；コンテンツ販売画面表示処理）。
【００３９】
例えば、利用者がコンテンツ販売画面３４０上の「写真Ｘ１」の表示ボタンを押した場合、サービス提供部２１（図１）は、利用者操作画面３００として、図１０に示されるようなコンテンツ購入画面３５０を第１表示部３１（図１、２）に表示する。コンテンツ購入画面３５０は、選択されたコンテンツ（選択サービス）を表す「写真Ｘ１」を表示するための選択表示欄３５１と、そのコンテンツ「写真Ｘ１」を購入する場合の数を入力するための入力欄３５２と、そのコンテンツ「写真Ｘ１」の購入を決定するための表示ボタン３５３「ＹＥＳ」と、そのコンテンツ「写真Ｘ１」の購入を中止するための表示ボタン３５４「ＮＯ」とを含んでいる。選択表示欄３５１に表示された「写真Ｘ１」は、コンテンツ販売画面３４０で表示されたときのサイズよりも拡大されている（図５のステップＳ１５；コンテンツ購入画面表示処理）。
【００４０】
例えば、利用者が入力欄２４２に「１０」を入力し、コンテンツ購入画面３５０上の表示ボタン３５３「ＹＥＳ」を押した場合、サービス提供部２１（図１）は、利用者操作画面３００として、図１１に示されるような決済画面３６０を第１表示部３１（図１、２）に表示する。決済画面３６０は、支払いとして「現金で支払う」、「カードで支払う」をそれぞれ選択するための表示ボタン３６１、３６２を含んでいる（図５のステップＳ１６；決済画面表示処理）。
【００４１】
例えば、利用者が決済画面３６０上の「現金で支払う」の表示ボタン３６１を押した場合、サービス提供部２１（図１）は、利用者操作画面３００として、図１２に示されるような支払い決定画面３７０を第１表示部３１（図１、２）に表示する。支払い決定画面３７０は、選択サービスであるコンテンツ「写真Ｘ１」の支払い金額（または、課金装置に投入する金額）を表示するための金額表示欄３７１と、選択サービス（コンテンツ「写真Ｘ１」）の購入を決定するための表示ボタン３７２「ＹＥＳ」と、そのコンテンツ「写真Ｘ１」の購入を中止するための表示ボタン３７３「ＮＯ」とを含んでいる。例えば、表示欄３７１には、「合計３００円を投入してください。」が表記されている（図５のステップＳ１７；支払い決定画面表示処理）。
【００４２】
例えば、利用者が表示欄３７１に表示された金額を支払い（または、課金装置に投入し）、支払い決定画面３７０上の表示ボタン３７２「ＹＥＳ」を押した場合、サービス提供部２１（図１）は、利用者操作画面３００として、図１３に示されるような購入処理画面３８０を第１表示部３１（図１、２）に表示する。このとき、サービス提供部２１（図１）は、上述のコンテンツ「写真Ｘ１」のコンテンツ識別子「商品名ＡＡ３、商品コードＢＢ３」（図３）を含むコンテンツ購入指示をコンテンツ提供サーバ１００（図１）に送信する。コンテンツ提供サーバ１００（図１）の制御部１２０（図１）は、複数のコンテンツのうちの、コンテンツ購入指示に含まれる「商品名ＡＡ３、商品コードＢＢ３」（図３）に対応するコンテンツ「写真Ｘ１」（図３）をサービス提供装置１（図１、２）に送信する。サービス提供装置１（図１、２）において、サービス提供部２１（図１）は、コンテンツ提供サーバ１００（図１）からのコンテンツ「写真Ｘ１」を印刷するための印刷制御信号を、画像形成部５０（図１）に出力する。画像形成部５０（図１）は、印刷制御信号に応じて、コンテンツ「写真Ｘ１」を印刷する（図５のステップＳ１８；購入処理画面表示処理）。
【００４３】
次に、第１実施形態に係るサービス提供装置１（複合機）のデジタルサイネージ提供部２２（図１）の動作（デジタルサイネージ提供処理）について、図１４〜１７を用いて説明する。
【００４４】
図１４は、第１実施形態に係るサービス提供装置１（複合機）のデジタルサイネージ提供部２２の動作として、デジタルサイネージ提供処理（ステップＳ２０）を示すフローチャートである。図１５〜１７は、第１実施形態に係るサービス提供装置１（複合機）のデジタルサイネージ提供部２２（図１）の動作を説明するための図である。図１５は、デジタルサイネージ画面４００として、商品紹介用デジタルサイネージ画面４１０を示す図である。図１６は、デジタルサイネージ画面４００として、サービス紹介用デジタルサイネージ画面４２０を示す図である。図１７は、デジタルサイネージ画面４００として、選択サービス紹介用デジタルサイネージ画面４３０を示す図である。
【００４５】
商品紹介イベント（後述）が発生した場合（図１４のステップＳ２１−Ｙｅｓ）、デジタルサイネージ提供部２２（図１）は、商品紹介指示をデジタルサイネージ提供サーバ２００（図１）に送信する。デジタルサイネージ提供サーバ２００（図１）の制御部２２０（図１）は、サービス提供装置１（図１）からの商品紹介指示に応じて、複数のデジタルサイネージのうちの第２グループのデジタルサイネージ（商品紹介用広告「ＣＭ１」〜「ＣＭｎ」）を順番にサービス提供装置１（図１）に送信する。サービス提供装置１（図１）のデジタルサイネージ提供部２２（図１）は、デジタルサイネージ提供サーバ２００（図１）からのデジタルサイネージ（商品紹介用広告「ＣＭ１」〜「ＣＭｎ」）を受け取ったときに、デジタルサイネージ画面４００として、図１５に示されるような商品紹介用デジタルサイネージ画面４１０「ＣＭ１」〜「ＣＭｎ」を順番に第２表示部３２（図１、２）に表示する。商品紹介用デジタルサイネージ画面４１０「ＣＭ１」〜「ＣＭｎ」は、デジタルサイネージ提供サーバ２００（図１）からのデジタルサイネージ（商品紹介用広告「ＣＭ１」〜「ＣＭｎ」）を提供するためのデジタルサイネージ画面である（図１４のステップＳ２２；商品紹介用デジタルサイネージ画面表示処理）。
【００４６】
全体サービス紹介イベント（後述）が発生した場合（図１４のステップＳ２１−Ｎｏ、Ｓ２３−Ｙｅｓ）、デジタルサイネージ提供部２２（図１）は、全体サービス紹介指示をデジタルサイネージ提供サーバ２００（図１）に送信する。デジタルサイネージ提供サーバ２００（図１）の制御部２２０（図１）は、サービス提供装置１（図１）からの全体サービス紹介指示に応じて、複数のデジタルサイネージのうちの第１グループのデジタルサイネージ（サービス紹介用広告「Ｙ１」〜「Ｙ６」）を順番にサービス提供装置１（図１）に送信する。サービス提供装置１（図１）のデジタルサイネージ提供部２２（図１）は、デジタルサイネージ提供サーバ２００（図１）からの複数のデジタルサイネージのうちの第１グループのデジタルサイネージ（サービス紹介用広告「Ｙ１」〜「Ｙ６」）を受け取ったときに、デジタルサイネージ画面４００として、図１６に示されるようなサービス紹介用デジタルサイネージ画面４２０「Ｙ１」〜「Ｙ６」を順番に第２表示部３２（図１、２）に表示する。サービス紹介用デジタルサイネージ画面４２０「Ｙ１」〜「Ｙ６」は、デジタルサイネージ提供サーバ２００（図１）からのデジタルサイネージ（サービス紹介用広告「Ｙ１」〜「Ｙ６」）を提供するためのデジタルサイネージ画面である（図１４のステップＳ２４；全体サービス紹介用デジタルサイネージ画面表示処理）。
【００４７】
選択サービス紹介イベント（後述）が発生した場合（図１４のステップＳ２１−Ｎｏ、Ｓ２３−Ｎｏ、Ｓ２５）、デジタルサイネージ提供部２２（図１）は、選択サービス紹介指示をデジタルサイネージ提供サーバ２００（図１）に送信する。デジタルサイネージ提供サーバ２００（図１）の制御部２２０（図１）は、サービス提供装置１（図１）からの選択サービス紹介指示（例えば、「アイドル」）を受け取ったときに、第１グループのデジタルサイネージ（サービス紹介用広告「Ｙ１」〜「Ｙ６」）のうちの、選択サービス紹介指示「アイドル」に応じたデジタルサイネージ（サービス紹介用広告「Ｙ４−１（アイドル）」）をサービス提供装置１（図１）に送信する。サービス提供装置１（図１）のデジタルサイネージ提供部２２（図１）は、デジタルサイネージ提供サーバ２００（図１）からのデジタルサイネージ（サービス紹介用広告「Ｙ４−１（アイドル）」）を受け取ったときに、デジタルサイネージ画面４００として、図１７に示されるような選択サービス紹介用デジタルサイネージ画面４３０「Ｙ４−１（アイドル）」）を第２表示部３２（図１、２）に表示する。選択サービス紹介用デジタルサイネージ画面４３０「Ｙ４−１（アイドル）」）は、図１のサービス提供装置１（複合機）の「プリントサービス」内のサービス「アイドル」を利用した利用者に提供するためのデジタルサイネージ画面である（図１４のステップＳ２６；選択サービス紹介用デジタルサイネージ画面表示処理）。
【００４８】
次に、第１実施形態に係るサービス提供装置１（複合機）の監視部２３（図１）の動作（利用者監視処理、操作監視処理）について、図１８、１９を用いて説明する。
【００４９】
図１８、１９は、第１実施形態に係るサービス提供装置１（複合機）の監視部２３の動作として、それぞれ、利用者監視処理（ステップＳ３０）、利用者監視処理（ステップＳ４０）を示すフローチャートである。
【００５０】
図１８に示されるように、監視部２３（図１）は、カメラ４０（第１カメラ４１、第２カメラ４２）に撮影された利用者を監視する（ステップＳ３１）。監視部２３（図１）は、公知の顔認識技術により、第１カメラ４１（図１、２）に撮影された利用者が第１表示部３１（図１、２）を見ていることを認識した場合、その旨を表す監視結果を出力する（ステップＳ３１−Ｙｅｓ、Ｓ３２）。または、監視部２３（図１）は、公知の顔認識技術により、第２カメラ４２（図１、２）に撮影された利用者が第２表示部３２（図１、２）を見ていることを認識した場合、その旨を表す監視結果を出力する（ステップＳ３１−Ｙｅｓ、Ｓ３２）。それ以外の場合（ステップＳ３１−Ｎｏ）、監視部２３（図１）は、上記監視結果を出力しない。
【００５１】
図１９に示されるように、監視部２３（図１）は、サービス提供処理（図５のステップＳ１０）における第１表示部３１（図１、２）上の利用者操作画面３００（図６〜１３）の操作を監視する（ステップＳ４１）。監視部２３（図１）は、公知のタッチパネルの技術により、利用者が第１表示部３１（図１、２）上の利用者操作画面３００（この場合、図６〜１２）を操作（タッチ）していることを認識した場合、その旨を表す監視結果を出力する（ステップＳ４１−Ｙｅｓ、Ｓ４２）。それ以外の場合（ステップＳ４１−Ｎｏ）、監視部２３（図１）は、上記監視結果を出力しない。
【００５２】
次に、第１実施形態に係るサービス提供装置１（複合機）の表示制御部２４（図１）の動作について、図２０〜２４を用いて説明する。
【００５３】
図２０は、第１実施形態に係るサービス提供装置１（複合機）の表示制御部２４の動作を示すフローチャートである。図２１〜２４は、第１実施形態に係るサービス提供装置１（複合機）の表示制御部２４（図１）の動作を説明するための図である。
【００５４】
表示制御部２４（図１）は、利用者監視処理（図１８のステップＳ３０）の監視結果を参照する（図２０のステップＳ５１）。
【００５５】
監視結果において、利用者が第１表示部３１（図１、２）を見ていない（図２０のステップＳ５２−Ｎｏ）。この場合、表示制御部２４（図１）は、サービス提供装置１（図１）が設けられた店舗内で販売される商品を店舗内の人に紹介するために、商品紹介イベントを発生する（図２０のステップＳ５３）。このとき、デジタルサイネージ提供部２２（図１）は、デジタルサイネージ提供処理（図１４のステップＳ２０）を行なう。具体的には、表示制御部２４（図１）は、前述の商品紹介用デジタルサイネージ画面表示処理（図１４のステップＳ２２）を行なうようにデジタルサイネージ提供部２２（図１）を制御して、図１５の商品紹介用デジタルサイネージ画面４１０「ＣＭ１」〜「ＣＭｎ」を順番に第２表示部３２（図１、２）に表示させる。その後、上述のステップＳ５１が実行される。
【００５６】
一方、監視結果において、利用者が第１表示部３１（図１、２）を見ている（図２０のステップＳ５２−Ｙｅｓ）。この場合、表示制御部２４（図１）は、サービス提供装置１（図１）が提供する複数のサービスを利用者に紹介するために、全体サービス紹介イベントを発生する（図２０のステップＳ５４）。このとき、デジタルサイネージ提供部２２（図１）は、デジタルサイネージ提供処理（図１４のステップＳ２０）を行なう。具体的には、表示制御部２４（図１）は、前述の全体サービス紹介用デジタルサイネージ画面表示処理（図１４のステップＳ２４）を行なうようにデジタルサイネージ提供部２２（図１）を制御して、図１６のサービス紹介用デジタルサイネージ画面４２０「Ｙ１」〜「Ｙ６」を順番に第２表示部３２（図１、２）に表示させる。その後、前述のサービス提供処理（図５のステップＳ１０）が実行される。
【００５７】
ここで、サービス提供処理（図５のステップＳ１０）において、利用者が利用者操作画面３００（図６〜１３）の操作を完了している（図２０のステップＳ５５−Ｙｅｓ）。この場合、表示制御部２４（図１）は、利用者監視処理（図１８のステップＳ３０）の監視結果を参照する（図２０のステップＳ５６）。
【００５８】
監視結果において、利用者が第２表示部３２（図１、２）を見ていない（図２０のステップＳ５７−Ｎｏ）。この場合、表示制御部２４（図１）は、サービス提供装置１（図１）が設けられた店舗内で販売される商品を店舗内の人に紹介するために、商品紹介イベントを発生する（図２０のステップＳ５３）。このとき、デジタルサイネージ提供部２２（図１）は、デジタルサイネージ提供処理（図１４のステップＳ２０）を行なう。具体的には、図２１に示されるように、利用者が利用者操作画面３００の操作を完了して、選択サービス（アイドルのコンテンツ「写真Ｘ１」）の処理中に、利用者が第２表示部３２を見ていない場合、表示制御部２４（図１）は、前述の商品紹介用デジタルサイネージ画面表示処理（図１４のステップＳ２２）を行なうようにデジタルサイネージ提供部２２（図１）を制御して、図１５の商品紹介用デジタルサイネージ画面４１０「ＣＭ１」〜「ＣＭｎ」を順番に第２表示部３２に表示させる。その後、上述のステップＳ５１が実行される。
【００５９】
一方、監視結果において、利用者が第２表示部３２（図１、２）を見ている（図２０のステップＳ５７−Ｙｅｓ）。この場合、表示制御部２４（図１）は、利用者に利用されたサービス（選択サービス）を更に利用者に紹介するために、選択サービス紹介イベントを発生する（図２０のステップＳ５８）。このとき、デジタルサイネージ提供部２２（図１）は、デジタルサイネージ提供処理（図１４のステップＳ２０）を行なう。具体的には、図２２に示されるように、利用者が利用者操作画面３００の操作を完了して、選択サービス（アイドルのコンテンツ「写真Ｘ１」）の処理中に、利用者が第２表示部３２を見ている場合、表示制御部２４（図１）は、前述の選択サービス紹介用デジタルサイネージ画面表示処理（図１４のステップＳ２６）を行なうようにデジタルサイネージ提供部２２（図１）を制御して、図１７の選択サービス紹介用デジタルサイネージ画面４３０「Ｙ４−１（アイドル）」）を第２表示部３２に表示させる。その後、上述のステップＳ５１が実行される。
【００６０】
ここで、サービス提供処理（図５のステップＳ１０）において、利用者が利用者操作画面３００（図６〜１３）の操作を完了していない（図２０のステップＳ５５−Ｎｏ）。この場合、表示制御部２４（図１）は、操作監視処理（図１９のステップＳ４０）の監視結果を参照する（図２０のステップＳ５９）。
【００６１】
監視結果において、利用者が利用者操作画面３００（図６〜１３）の操作をやめてから所定時間が経過していない場合（図２０のステップＳ６０−Ｎｏ）は、上述のステップＳ５５が実行される。
【００６２】
一方、監視結果において、利用者が利用者操作画面３００（図６〜１３）の操作をやめてから所定時間が経過している場合（図２０のステップＳ６０−Ｙｅｓ）、表示制御部２４（図１）は、デジタルサイネージ提供処理（図１４のステップＳ２０）の実行を停止させて、図２３に示されるような操作ガイド画面５００を第２表示部３２に表示する（図２０のステップＳ６１）。操作ガイド画面５００は、利用者操作画面３００（図６〜１３）に対する操作ガイドを提示するための画面である。すなわち、図２３に示されるように、利用者が利用者操作画面３００（図６〜１３）の操作をやめてから所定時間が経過している場合、表示制御部２４（図１）は、図１６のサービス紹介用デジタルサイネージ画面４２０「Ｙ１」〜「Ｙ６」に代えて、操作ガイド画面５００を第２表示部３２に表示する。その後、後述のステップＳ６２が実行される。
【００６３】
表示制御部２４（図１）は、利用者監視処理（図１８のステップＳ３０）の監視結果を参照する（図２０のステップＳ６２）。
【００６４】
監視結果において、利用者が第２表示部３２（図１、２）を見ている（図２０のステップＳ６３−Ｙｅｓ）。この場合、上述のステップＳ５５が実行される。
【００６５】
一方、監視結果において、利用者が第２表示部３２（図１、２）を見ていない（図２０のステップＳ６３−Ｎｏ）。この場合、表示制御部２４（図１）は、操作ガイド画面５００（図２３）が第２表示部３２（図１、２）に表示されている旨を、利用者に通知する。具体的には、図２４に示されるように、第２表示部３２に表示された操作ガイド画面５００を、利用者操作画面３００の操作をやめた利用者が見ていない場合、表示制御部２４（図１）は、音６１０（例えば、「ピローン」や「ピッピッ」などの音）により利用者に通知して、ポップアップメッセージ画面６００を第１表示部３１に表示することにより利用者に通知する（図２０のステップＳ６４）。
【００６６】
以上の説明により、第１実施形態に係るサービス提供装置１は、図１〜２２に示されるように、第１表示部３１と、第２表示部３２と、複数のサービスのうちの、利用者の操作により選択された選択サービスを提供するための利用者操作画面３００を第１表示部３１に表示するサービス提供部２１と、デジタルサイネージを提供するためのデジタルサイネージ画面４００を第２表示部３２に表示するデジタルサイネージ提供部２２と、を具備している。
【００６７】
このように、第１実施形態に係るサービス提供装置１によれば、複数のサービスのうちの、利用者の操作により選択された選択サービスを提供するための利用者操作画面３００を第１表示部３１に表示することにより、利用者に有効な情報（選択サービスなど）を提供することができる。また、第１実施形態に係るサービス提供装置１が店舗に設けられている場合、店舗の店員にとっては、機会があれば、店舗内で販売される商品を、周囲の人（例えば、利用者を含めて店舗を利用する人）に紹介したい。しかし、店員の業務内容から、そのような機会がないのが現状である。そこで、第１実施形態に係るサービス提供装置１によれば、上記利用者操作画面３００を第１表示部３１に表示し、デジタルサイネージを提供するためのデジタルサイネージ画面４００（商品紹介用デジタルサイネージ画面４１０「ＣＭ１」〜「ＣＭｎ」）を第２表示部３２に表示する。このように、周囲の人に対して、店舗内で販売される商品の情報を提示（提供）することも、周囲の人にとっては有効な情報であり、店舗の店員にとっても利点である。したがって、第１実施形態に係るサービス提供装置１は、利用者だけでなく、周囲の人にも、有効な情報を提供することができる。
【００６８】
また、第１実施形態に係るサービス提供装置１において、図１〜２３に示されるように、利用者を撮影するカメラ４０（第１カメラ４１、第２カメラ４２）と、カメラ４０（第１カメラ４１、第２カメラ４２）に撮影された利用者と第１表示部３１上の利用者操作画面３００の操作とを監視する監視部２３と、監視の結果、利用者が利用者操作画面３００の操作をやめてから所定時間が経過した場合、デジタルサイネージ画面４００に代えて、利用者操作画面３００に対する操作ガイドを提示するための操作ガイド画面５００を第２表示部３２に表示する表示制御部２４と、を更に具備している。
【００６９】
このように、第１実施形態に係るサービス提供装置１によれば、利用者が利用者操作画面３００の操作をやめてから所定時間が経過した場合、デジタルサイネージ画面４００に代えて、操作ガイド画面５００を第２表示部３２に表示する。利用者操作画面３００や操作ガイド画面５００を利用者に提示（提供）することは、利用者にとっては有効な情報である。また、従来技術（特許文献１に開示された技術）では、操作ガイド（ヘルプガイダンス）を表示部に表示する際に、１つの表示部において操作画面と操作ガイドとを切り替えているが、第１実施形態に係るサービス提供装置１によれば、利用者操作画面３００、操作ガイド画面５００をそれぞれ第１表示部３１、第２表示部３２に表示するため、従来技術に比べても、利用者にとっては利用し易い。
【００７０】
また、第１実施形態に係るサービス提供装置１において、図２４に示されるように、監視の結果、第２表示部３２に表示された操作ガイド画面５００を、利用者操作画面３００の操作をやめた利用者が見ていない場合、表示制御部２４は、操作ガイド画面５００が第２表示部３２に表示されている旨を、ポップアップメッセージ画面６００により第１表示部３１に表示する。
【００７１】
また、第１実施形態に係るサービス提供装置１において、図２４に示されるように、監視の結果、第２表示部３２に表示された操作ガイド画面５００を、利用者操作画面３００の操作をやめた利用者が見ていない場合、表示制御部２４は、操作ガイド画面５００が第２表示部３２に表示されている旨を、音により利用者に通知する。
【００７２】
また、第１実施形態に係るサービス提供装置１において、図２４に示されるように、表示制御部２４は、操作ガイド画面５００が第２表示部３２に表示されている旨を、音により利用者に通知するときに、操作ガイド画面５００が第２表示部３２に表示されている旨を、ポップアップメッセージ画面６００により第１表示部３１に表示する。
【００７３】
第１実施形態に係るサービス提供装置１によれば、利用者操作画面３００、操作ガイド画面５００をそれぞれ第１表示部３１、第２表示部３２に表示するため、第２表示部３２に表示された操作ガイド画面５００を、利用者操作画面３００の操作をやめた利用者が見ていない場合が考えられる。この場合、第１実施形態に係るサービス提供装置１（複合機）によれば、操作ガイド画面５００が第２表示部３２に表示されている旨を、音により利用者に通知したり、ポップアップメッセージ画面６００により第１表示部３１に表示したりするため、上記問題を解決することができる。
【００７４】
また、第１実施形態に係るサービス提供装置１において、図１〜２０、２２に示されるように、監視の結果、利用者が利用者操作画面３００の操作を完了して、選択サービス（アイドルのコンテンツ「写真Ｘ１」）の処理中に利用者が第２表示部３２を見ている場合、表示制御部２４は、第２表示部３２に表示されているデジタルサイネージ画面４００（サービス紹介用デジタルサイネージ画面４２０「Ｙ１」〜「Ｙ６」）を、複数のサービスのうちの、利用者が利用した選択サービス（アイドルのコンテンツ「写真Ｘ１」）に適したデジタルサイネージ画面４００（選択サービス紹介用デジタルサイネージ画面４３０「Ｙ４−１（アイドル）」）に変更する。
【００７５】
このように、第１実施形態に係るサービス提供装置１によれば、利用者が利用者操作画面３００の操作を完了して、選択サービス（アイドルのコンテンツ「写真Ｘ１」）の処理中に利用者が第２表示部３２を見ている場合、複数のサービスのうちの、利用者が利用した選択サービス（アイドルのコンテンツ「写真Ｘ１」）に適したデジタルサイネージ画面４００（選択サービス紹介用デジタルサイネージ画面４３０「Ｙ４−１（アイドル）」）を第２表示部３２に表示する。したがって、第１実施形態に係るサービス提供装置１は、利用者にとって、更に有効な情報を提供することができる。
【００７６】
また、第１実施形態に係るサービス提供装置１において、図１〜２１に示されるように、監視の結果、利用者が利用者操作画面３００の操作を完了して、選択サービス（アイドルのコンテンツ「写真Ｘ１」）の処理中に利用者が第２表示部３２を見ていない場合、表示制御部２４は、デジタルサイネージ画面４００（商品紹介用デジタルサイネージ画面４１０「ＣＭ１」〜「ＣＭｎ」）を第２表示部３２に表示する。
【００７７】
このように、第１実施形態に係るサービス提供装置１によれば、利用者が利用者操作画面３００の操作を完了して、選択サービス（アイドルのコンテンツ「写真Ｘ１」）の処理中に利用者が第２表示部３２を見ていない場合、デジタルサイネージ画面４００（商品紹介用デジタルサイネージ画面４１０「ＣＭ１」〜「ＣＭｎ」）を第２表示部３２に表示する。したがって、第１実施形態に係るサービス提供装置１は、周囲の人にとって、有効な情報を提供することができる。
【００７８】
［第２実施形態］
図２５、２６は、第２実施形態に係るサービス提供装置１（複合機）の監視部２３の動作として、それぞれ、利用者監視処理（ステップＳ３０）、利用者監視処理（ステップＳ４０）を示すフローチャートである。
【００７９】
図２５に示されるように、監視部２３（図１）は、カメラ４０（第１カメラ４１、第２カメラ４２）に撮影された複数人を監視する（ステップＳ２３１）。監視部２３（図１）は、公知の顔認識技術により、第１カメラ４１（図１、２）に撮影された複数人のうちの少なくとも１人が第１表示部３１（図１、２）を見ていることを認識した場合、上記少なくとも１人を利用者とし、その旨を表す監視結果を出力する（ステップＳ２３１−Ｙｅｓ、Ｓ２３２）。または、監視部２３（図１）は、公知の顔認識技術により、第２カメラ４２（図１、２）に撮影された複数人のうちの少なくとも１人が第２表示部３２（図１、２）を見ていることを認識した場合、上記少なくとも１人を利用者とし、その旨を表す監視結果を出力する（ステップＳ２３１−Ｙｅｓ、Ｓ２３２）。それ以外の場合（ステップＳ２３１−Ｎｏ）、監視部２３（図１）は、上記監視結果を出力しない。
【００８０】
図２６に示されるように、監視部２３（図１）は、サービス提供処理（図５のステップＳ２０）における第１表示部３１（図１、２）上の利用者操作画面３００（図６〜１３）の操作を監視する（ステップＳ２４１）。監視部２３（図１）は、公知のタッチパネルの技術により、利用者（上記少なくとも１人）が第１表示部３１（図１、２）上の利用者操作画面３００（この場合、図６〜１２）を操作（タッチ）していることを認識した場合、その旨を表す監視結果を出力する（ステップＳ２４１−Ｙｅｓ、Ｓ２４２）。それ以外の場合（ステップＳ２４１−Ｎｏ）、監視部２３（図１）は、上記監視結果を出力しない。
【００８１】
以上の説明により、第２実施形態に係るサービス提供装置１は、図２５、２６に示されるように、カメラ４０（第１カメラ４１）は、第１表示部３１の前に存在する複数人を撮影し、監視部２３は、複数人のうちの、第１表示部３１上の利用者操作画面３００を操作する人を利用者として監視する。
【００８２】
第１実施形態に係るサービス提供装置１では、第１カメラ４１（図１、２）は第１表示部３１（図１、２）の前に存在する１人の利用者を撮影している。しかしながら、第１表示部３１（図１、２）の前に複数人が存在する場合もある。例えば、乳児を抱えた親の場合は、親が第１表示部３１（図１、２）を見ていても、乳児は第１表示部３１（図１、２）を見ていない。第２実施形態に係るサービス提供装置１によれば、複数人のうちの、第１表示部３１上の利用者操作画面３００を操作する人を利用者とするため、上述の問題を解決することができる。
【００８３】
［第３実施形態］
図２７は、第３実施形態に係るサービス提供装置１が適用されるシステムの構成を示すブロック図である。制御部２０は、更に、情報登録部６１と、認証部６２と、情報更新部６３とを備えている。
【００８４】
図２８は、第３実施形態に係るサービス提供装置１（複合機）において、情報登録部６１（図２７）に登録される内容を示す図である。情報登録部６１には、利用者の認証情報（利用者名ＣＣ１、住所ＤＤ１、電話番号ＥＥ１、パスワードＦＦ１など）が登録認証情報として予め登録されている。また、情報登録部６１には、後述の情報更新処理により選択サービスの識別情報が登録される。
【００８５】
図２９は、第１実施形態に係るサービス提供装置１（複合機）の動作として、サービス提供処理（ステップＳ１０）内で実行される認証処理（ステップＳ３００）を示すフローチャートである。
【００８６】
認証部６２（図２７）は、第１表示部３１（図２、２７）に表示された利用者操作画面３００（図６〜１３）を利用者が操作するときに、利用者の認証情報（利用者名ＣＣ１、住所ＤＤ１、電話番号ＥＥ１、パスワードＦＦ１など）と、情報登録部６１に登録された登録認証情報（利用者名、住所、電話番号、パスワードなど）とを認証する（ステップＳ３０１）。例えば、図５のサービス提供処理（ステップＳ１０）のコンテンツ購入画面表示処理（ステップＳ１５）において、ステップＳ３０１が実行される。具体的には、コンテンツ購入画面３５０（図１０）が第１表示部３１（図２、２７）に表示されているときに、ポップアップ画面によりステップＳ３０１が実行される。
【００８７】
認証の結果が一致を表さない場合（ステップＳ３０２−Ｎｏ）、認証部６２（図２７）は、利用者に対する選択サービスの購入（提供）を許可しない（ステップＳ３０３）。例えば、図５のサービス提供処理（ステップＳ１０）のコンテンツ購入画面表示処理（ステップＳ１５）以降の処理が実行されない。具体的には、第１表示部３１（図２、２７）に表示される画面がコンテンツ購入画面３５０（図１０）から決済画面３６０（図１１）に移行しない。この場合、認証処理（ステップＳ３００）は終了する。
【００８８】
認証の結果が一致を表す場合（ステップＳ３０２−Ｙｅｓ）、認証部６２（図２７）は、利用者に対する選択サービスの購入（提供）を許可する（ステップＳ３０４）。例えば、図５のサービス提供処理（ステップＳ１０）のコンテンツ購入画面表示処理（図５のステップＳ１５）以降の処理が実行される。具体的には、第１表示部３１（図２、２７）に表示される画面がコンテンツ購入画面３５０（図１０）から決済画面３６０（図１１）に移行する。その後、後述のステップＳ３０５が実行される。
【００８９】
ここで、利用者が選択サービス（コンテンツ「写真Ｘ１」）を購入しない場合（ステップＳ３０５−Ｎｏ）、認証処理（ステップＳ３００）は終了する。例えば、利用者が決済画面３６０（図１１）の表示を終了させた場合、図５のサービス提供処理（ステップＳ１０）の決済画面表示処理（ステップＳ１６）以降の処理が実行されない。利用者が支払い決定画面３７０（図１２）の表示を終了させた場合、図５のサービス提供処理（ステップＳ１０）の支払い決定画面表示処理（ステップＳ１７）以降の処理が実行されない。この場合、認証処理（ステップＳ３００）は終了する。
【００９０】
一方、利用者が選択サービス（コンテンツ「写真Ｘ１」）を購入する場合（ステップＳ３０５−Ｙｅｓ）、すなわち、選択サービス（コンテンツ「写真Ｘ１」）が利用者に提供されたときに、情報更新部６３は、選択サービス（コンテンツ「写真Ｘ１」）の識別情報（コンテンツ識別子（商品名ＡＡ１、商品コードＢＢ１））を、利用者の登録認証情報（利用者名ＣＣ１、住所ＤＤ１、電話番号ＥＥ１、パスワードＦＦ１など）に対応付けて、情報登録部６１に登録する（ステップＳ３０６）。具体的には、図５のサービス提供処理（ステップＳ１０）の購入処理画面表示処理（ステップＳ１８）が実行された場合、ステップＳ３０６が実行される。
【００９１】
以上の説明により、第３実施形態に係るサービス提供装置１は、図２７〜２９に示されるように、利用者の認証情報（利用者名ＣＣ１、住所ＤＤ１、電話番号ＥＥ１、パスワードＦＦ１など）を登録認証情報として登録する情報登録部６１と、第１表示部３１に表示された利用者操作画面３００を利用者が操作するときに、利用者の認証情報（利用者名ＣＣ１、住所ＤＤ１、電話番号ＥＥ１、パスワードＦＦ１など）と情報登録部６１に登録された登録認証情報（利用者名、住所、電話番号、パスワードなど）とを認証し、認証の結果が一致を表す場合、利用者に対する選択サービス（コンテンツ「写真Ｘ１」）の提供を許可する認証部６２と、選択サービス（コンテンツ「写真Ｘ１」）が利用者に提供されたときに、選択サービス（コンテンツ「写真Ｘ１」）の識別情報（コンテンツ識別子（商品名ＡＡ１、商品コードＢＢ１））を利用者の登録認証情報（利用者名ＣＣ１、住所ＤＤ１、電話番号ＥＥ１、パスワードＦＦ１など）に対応付けて情報登録部６１に登録する情報更新部６３と、を更に具備している。
【００９２】
このように、第３実施形態に係るサービス提供装置１によれば、選択サービス（コンテンツ「写真Ｘ１」）が利用者に提供されたときの履歴が情報登録部６１に登録されるので、例えば、コンテンツ提供サーバ１００を提供する事業者が、情報登録部６１に登録された情報を回収することにより、サービス（コンテンツ）の購入履歴を把握することができる。
【００９３】
以上、この発明の実施形態について図面を参照して詳述してきたが、具体的な構成は実施形態に限られるものではなく、この発明の要旨を逸脱しない範囲の設計等も特許請求の範囲に含まれる。例えば、サービス提供装置１は、ネットワークＮＥを介して、コンテンツ提供サーバ１００と、デジタルサイネージ提供サーバ２００と接続されているが、サービス提供装置１は、コンテンツ提供サーバ１００と、デジタルサイネージ提供サーバ２００との機能を備えてもよい。
【符号の説明】
【００９４】
１  …  サービス提供装置（複合機）
１０  …  記憶部
２０  …  制御部
２１  …  サービス提供部
２２  …  デジタルサイネージ提供部
２３  …  監視部
２４  …  表示制御部
３０  …  表示部
３１  …  第１表示部
３２  …  第２表示部
４０  …  カメラ
４１  …  第１カメラ
４２  …  第２カメラ
５０  …  画像形成部
６１  …  情報登録部
６２  …  認証部
６３  …  情報更新部
１００  …  コンテンツ提供サーバ
１１０  …  記憶部
１２０  …  制御部
２００  …  デジタルサイネージ提供サーバ
２１０  …  記憶部
２２０  …  制御部
３００  …  利用者操作画面
３１０  …  初期画面
３１１〜３１６  …  表示ボタン
３２０  …  プリントサービス画面
３２１〜３２４  …  表示ボタン
３３０  …  コンテンツプリントサービス画面
３３１〜３３３  …  表示ボタン
３４０  …  コンテンツ販売画面
３５０  …  コンテンツ購入画面
３５１  …  選択表示欄
３５２  …  入力欄
３５３〜３５４  …  表示ボタン
３６０  …  決済画面
３６１〜３６２  …  表示ボタン
３７０  …  支払い決定画面
３７１  …  金額表示欄
３７２〜３７３  …  表示ボタン
３８０  …  購入処理画面
４００  …  デジタルサイネージ画面
４１０  …  商品紹介用デジタルサイネージ画面
４２０  …  全体サービス紹介用デジタルサイネージ画面
４３０  …  選択サービス紹介用デジタルサイネージ画面
５００  …  操作ガイド画面
６００  …  ポップアップメッセージ画面
６１０  …  音
【図１】
0006579912.tif 000002
【図２】
0006579912.tif 000003
【図３】
0006579912.tif 000004
【図４】
0006579912.tif 000005
【図５】
0006579912.tif 000006
【図６】
0006579912.tif 000007
【図７】
0006579912.tif 000008
【図８】
0006579912.tif 000009
【図９】
0006579912.tif 000010
【図１０】
0006579912.tif 000011
【図１１】
0006579912.tif 000012
【図１２】
0006579912.tif 000013
【図１３】
0006579912.tif 000014
【図１４】
0006579912.tif 000015
【図１５】
0006579912.tif 000016
【図１６】
0006579912.tif 000017
【図１７】
0006579912.tif 000018
【図１８】
0006579912.tif 000019
【図１９】
0006579912.tif 000020
【図２０】
0006579912.tif 000021
【図２１】
0006579912.tif 000022
【図２２】
0006579912.tif 000023
【図２３】
0006579912.tif 000024
【図２４】
0006579912.tif 000025
【図２５】
0006579912.tif 000026
【図２６】
0006579912.tif 000027
【図２７】
0006579912.tif 000028
【図２８】
0006579912.tif 000029
【図２９】
0006579912.tif 000030